(57)【要約】【課題】足指を使うことなく、しかも購入して直ちに布ぞうりを編むことができる布ぞうり製作用キットを提供する。【解決手段】ぞうり本体を編む際に緯糸となる布製の帯状の本体用素材と、経糸となるロープと、鼻緒となる鼻緒用素材と、ぞうり本体を編む際に前記ロープを4本平行に保持するためのＷ形保持具と、Ｗ形保持具を机上等に固定するための吸盤と、を同梱する。なお、Ｗ形保持具は、一般家庭にほぼ必ず存在する針金ハンガーを用いて簡単に製作することができるため、本キットに含めなくても構わない。【選択図】図１
0003126246.tif 000002
【実用新案登録請求の範囲】
【請求項１】
a) ぞうり本体を編む際に緯糸となる布製の帯状の本体用素材と、
b) 経糸となるロープと、
c) 鼻緒となる鼻緒用素材と、
d) ぞうり本体を編む際に前記ロープを4本平行に保持するためのＷ形保持具と、
e) Ｗ形保持具を机上等に固定するための1個の吸盤と
が同梱されたことを特徴とする布ぞうり製作用キット。
【請求項２】
a) ぞうり本体を編む際に緯糸となる布製の帯状の本体用素材と、
b) 経糸となるロープと、
c) 鼻緒となる鼻緒用素材と、
d) ぞうり本体を編む際に前記ロープを4本平行に保持するためのＷ形保持具を机上等に固定するための1個の吸盤と
が同梱されたことを特徴とする布ぞうり製作用キット。
【請求項３】
本体用素材が、天竺ニットを幅4〜7cmに細断した帯である請求項１又は２に記載の布ぞうり製作用キット。
【考案の詳細な説明】
【技術分野】
【０００１】
本考案は、布製のぞうりを手作りするためのキットに関する。
【背景技術】
【０００２】
近年、室内履きに用いるものとして、紐状の布地で編まれた布製のぞうりが注目を集めている。ぞうりに独特な履き心地だけでなく、そのレトロな雰囲気や暖かみのある手作り感、また、ハギレの有効利用にもなり、洗って何度でも清潔に使用できることなどから、需要者の人気を集めている。特許文献１には、わらぞうりの材料に布を使用する布製わらぞうり状履物が開示されている。
【０００３】
そうした布ぞうりを手作りするためのキットもすでに販売されている。非特許文献１には、布ぞうりを手作りするための材料がひとまとめに梱包されたキットが紹介されている。このキットには、ぞうり本体を編む際に緯糸となる布製の帯状の本体用素材、経糸となるロープ、鼻緒となる鼻緒用素材、及び製作説明書が同梱されており、製作説明書に従って容易に布ぞうりが手作りできるようになっている。
【０００４】
このキットのオンライン販売サイトの説明によると、このキットにより布ぞうりを製作する手順は、おおよそ次の通りである。まず、前記キットとは別に、はさみ、ものさし、洗濯バサミを準備（購入）する。そして、適宜の長さに切った2本のロープを自分の左右の足の親指にU字形になるように掛け、内側の2本のロープを交差させて洗濯バサミで固定し、4本のロープがほぼ等間隔に平行になるようにする。緯糸となる布製の帯を予め伸ばして紐状に丸めておき、それを4本のロープの間に編み込んでゆく。ぞうりの全体ができあがったところで、鼻緒を取り付ける。なお、製作者の足指にロープを掛ける代わりに、吸盤付フックを2個横方向に並べて床やテーブル等に固定し、それらにロープを掛けて編むようにしてもよいとも教示されている。
【０００５】
【特許文献１】実開平7-27302号公報
【非特許文献１】布ぞうりキットのオンライン販売のサイト<URL:http://www.tezukuri-e.com/kit/kit002.htm>
【考案の開示】
【考案が解決しようとする課題】
【０００６】
上記従来のキットでは、自分の足指を使わずに製作をしようとすると、2個の吸盤付フックをキットとは別に用意しなければならない。吸盤付フックは、通常、どこの家庭でも常備しているという類のものではないため、すぐに布ぞうりを製作したい場合にはやむなく足指を用いるか、あるいは買いに出掛けなければならない。
そこで本考案が解決しようとする課題は、足指を使うことなく、しかも購入して直ちに布ぞうりを編むことができる布ぞうり製作用キットを提供することである。
【課題を解決するための手段】
【０００７】
上記課題を解決するために成された本考案に係る布ぞうり製作用キットは、ぞうり本体を編む際に緯糸となる布製の帯状の本体用素材と、経糸となるロープと、鼻緒となる鼻緒用素材と、ぞうり本体を編む際に前記ロープを4本平行に保持するためのＷ形保持具と、Ｗ形保持具を机上等に固定するための吸盤と、を備えることを特徴とする。
なお、Ｗ形保持具は、後述するように、一般家庭にほぼ必ず存在する針金ハンガーを用いて簡単に製作することができるため、本キットに含めなくても構わない。
また、これらの素材・道具を使って製作する方法を記載した説明書を同梱してもよい。
【考案の効果】
【０００８】
本考案に係る布ぞうり製作用キットでは、布ぞうりを製作する際に必要となる素材及び道具が全て揃っているため、購入して直ちに、しかも足指を使わずに製作を開始することができる。
【考案を実施するための最良の形態】
【０００９】
本考案の一実施例である布ぞうり製作用キット１０の内容を図１に示す。図１に示すように、本キット１０には次の各素材や道具等が同梱されている。
a) 本体用布帯１１（天竺木綿の色違いのもの2種。それぞれ、幅5.5cm×長さ1.7mのもの5本および2本）
b) ポリプロピレンロープ１２（PPロープ。径5mm×長さ37cm、径5mm×長さ1.7m、それぞれ2本）
c) 鼻緒用木綿布帯１３（絵柄付のもの。幅5cm×長さ1.1m）
d) Ｗ形保持具１４
e) 吸盤１５
f) 製作説明書１６
【００１０】
本キット１０による布ぞうり１７の製作方法は次の通りである（図３、図５）。
(1) 吸盤１５を床上、机の上等に固定する。
(2) 吸盤１５に、Ｗ形保持具１４の頭フックを引っかける。
(3) Ｗ形保持具１４の左右の凹部にロープ１２をそれぞれ引っかけ、内側のロープ１２を交差させて、交差部を結んで固定する。なお、手近にある洗濯バサミやセロテープ（ニチバン株式会社の登録商標）等で固定してもよい。これにより、4本のロープ１２を平行に走らせる。
(4) 本体用布帯１１を長手方向に強く引っ張る。本体用布帯１１は天竺木綿製であるため、強く引っ張ることにより幅方向に丸まり、紐状となる（図４。以下、こうしてできた紐を本体用の紐１８と呼ぶ）。これにより、側端からほつれることが防止される。
(5) こうして準備した本体用の紐１８を4本のロープ１２間に編み込んでゆき、布ぞうり１７本体を製作してゆく。
(6) 適宜の長さ（大人用の場合、約25cm）になったところで、端部処理を行い、布ぞうり１７の本体を完成する。
(7) 鼻緒用木綿布帯１３で鼻緒を作成し、本体に固定して布ぞうり１７を完成する（図６）。
【００１１】
なお、図２に示すように、Ｗ形保持具１４は、クリーニング屋から各家庭に洗濯物を返却する際等に用いられる針金ハンガーを曲げることによっても製作することができる。このようなハンガーは各家庭に必ず1本や2本はあるため、上記布ぞうり製作キットはＷ形保持具１４を同梱しないものであってもよい。
【図面の簡単な説明】
【００１２】
【図１】本考案に係る布ぞうり製作用キットの一実施例の構成図。
【図２】本考案に係る布ぞうり製作用キットにおけるＷ型保持具となるハンガーの正面図。
【図３】本考案に係る布ぞうり製作用キットでの製作工程を示す図。
【図４】本考案に係る布ぞうり製作用キットの本体用素材を紐状に成形する手順を示す図。
【図５】本考案に係る布ぞうり製作用キットで製作されている途中の布ぞうりの状態を示す図。
【図６】本考案に係る布ぞうり製作用キットを用いて製作された布ぞうりを示す表面図(a)および裏面図(b)。
【符号の説明】
【００１３】
１０…布ぞうり製作用キット
１１…本体用布帯
１２…ポリプロピレンロープ
１３…鼻緒用木綿布帯
１４…Ｗ形保持具
１５…吸盤
１６…製作説明書
１７…布ぞうり
１８…本体用の紐
【図１】
0003126246.tif 000003
【図２】
0003126246.tif 000004
【図３】
0003126246.tif 000005
【図４】
0003126246.tif 000006
【図５】
0003126246.tif 000007
【図６】
0003126246.tif 000008